(57)【要約】【課題】液体収納容器からの液体の自動供給量が多くなり、そのために取扱いが便利な液体収納容器を提供する。【解決手段】周壁部１１ａ〜１１ｄと、周壁部１１ａ〜１１ｄの下端部に設けられた底壁部１２と、周壁部１１ａ〜１１ｄの上端部に設けられた上壁部１３と、上壁部１３の上部に設けられた取液筒部１４を有し、当該液体収納容器を横に倒して置いた状態で水平状の下側の周壁部１１ａの近くに前記取液筒部を設けたことを特徴とする。【選択図】図３
2016210495.tif 000002
【特許請求の範囲】
【請求項１】
周囲を取り囲むように設けられた周壁部と、その周壁部の下端部に設けられた底壁部と、前記周壁部の上端部に設けられた上壁部と、その上壁部の上部に設けられた取液筒部を有する液体収納容器において、
当該液体収納容器を横に倒して置いた状態で水平状の下側の周壁部の近くに前記取液筒部を設けたことを特徴とする液体収納容器。
【発明の詳細な説明】
【技術分野】
【０００１】  本発明は、例えば水などの液体を収納するポリエチレンテレフタレート製ボトル（以下、ペットボトルと略記する）などの液体収納容器に係り、特にそれの容器形状に関するものである。
【背景技術】
【０００２】  空の例えば２リットル用ペットボトルなどは、軽量で持ち運びが容易であること、しかも簡単に手に入れることができることなどから、例えば鉢植えなどへの水やり用の簡易タンク、あるいは例えば犬や猫などのペット用の給水タンクとしても利用することが考えられる。【０００３】  図５は従来の角型ペットボトルの倒立した状態での上面図、図６はその角型ペットボトルを前記簡易タンクとして利用している状態を示す一部を断面にした側面図である。【０００４】  これらの図に示されているように、従来の角型のペットボトル５０は、断面形状がほぼ長方形の周壁部５１（周壁部５１ａ〜５１ｄ）と、その周壁部５１の下端部に設けられた底壁部５２（図６参照）と、その周壁部５１の上端部に設けられた上壁部５３と、上壁部５３の上部に設けられた取液筒部５４から一体に形成されている。
図５中の符号５５は、取液筒部５４に螺着される合成樹脂製のキャップである。【０００５】  空になったペットボトル５０のキャップ５５を外して、ペットボトル５０内に水５６を入れて、図６に示すように取液筒部５４の口部に蛇口アダプター５７を差し込み、蛇口アダプター５７の開閉弁５８が閉まっていることを確認する。【０００６】  図６に示すように、ペットボトル５０を倒した状態で台５９などの上に載せ、蛇口アダプター５７の蛇口６０を台５９よりも手前側に出す。ペットボトル５０を倒して台５９上に載せることにより、いずれかの周壁部５１（図に示す例では周壁部５１ａ）が台５９の上面と接触し、この状態では周壁部５１ａが実質的にペットボトル５０の底部となる。【０００７】  この状態で水やり用のじょろの給水口（図示せず）を蛇口アダプター５７の蛇口６０の下に持って行き、蛇口アダプター５７の開閉弁５８を開くことにより、ペットボトル５０内に貯留している水５６を、蛇口アダプター５７を通してじょろに自動的に注ぐことができる。【０００８】  じょろ内で水５６がほぼ満杯になると開閉弁５８を閉めてペットボトル５０からの給水を止め、じょろを鉢の所に持って行き水やりを行う。じょろへの給水を繰り返すと、ペットボトル５０内での水位が徐々に下がっていく。
【発明の概要】
【発明が解決しようとする課題】
【０００９】  ところで、従来のペットボトル５０は図５ならびに図６に示すように、何れの周壁部５１も取液筒部５４より離れているため、ペットボトル５０からの取液を繰り返して、ペットボトル５０内の水位が取液筒部５４よりも下がると（図６参照）、じょろへの給水が自動ではできなくなる。【００１０】  そうなると、じょろの給水口が蛇口アダプター５７の蛇口６０から外れないようにじょろを片手で持った状態で、他方の片手でペットボトル５０の底壁部５２を持ち上げてペットボトル５０を斜めにして、ペットボトル５０内に残っている水５６をじょろ内に注ぐ必要があり、そのために給水作業が煩雑になる。【００１１】  従来のペットボトル５０は、何れの周壁部５１も取液筒部５４より外側に離れて設けられ、図６に示すようにペットボトル５０を倒した状態で、ペットボトル５０の実質的な底部となる１つの周壁部５１（図に示す例では周壁部５１ａ）と、取液筒部５４の間に大きな段差６１が形成されることになる。【００１２】  このように大きな段差６１が形成されるということは、蛇口アダプター５７の開閉弁５８を開いて自動給水できる水５６の量が限られているということであり、水５６でペットボトル５０を満たしても、その約半分の水５６は自動給水できるが、図６に示すようにペットボトル５０内に残った水５６は自動給水ができず、ペットボトル５０を斜めに持ち上げたり、あるいは、その時点でペットボトル５０内にまた水５６を補給しなくてはならないという問題がある。【００１３】  本発明の目的は、このような従来技術の問題を解消し、ペットボトルなどの液体収納容器からの液体の自動供給量が多くなり、そのために取扱いが便利な液体収納容器を提供することにある。
【課題を解決するための手段】
【００１４】  前記目的を達成するため、本発明は、周囲を取り囲むように設けられた周壁部と、その周壁部の下端部に設けられた底壁部と、前記周壁部の上端部に設けられた上壁部と、その上壁部の上部に設けられた取液筒部を有する液体収納容器において、
当該液体収納容器を横に倒して置いた状態で水平状の下側の周壁部の近くに前記取液筒部を設けたことを特徴とするものである。
【発明の効果】
【００１５】  本発明は前述のような構成になっており、液体収納容器からの液体の自動供給量が多くなり、そのために取扱いが便利な液体収納容器を提供することができる。
【図面の簡単な説明】
【００１６】
【図１】本発明の実施例に係る角型ペットボトルを横に倒した状態での側面図である。
【図２】その角型ペットボトルを倒立した状態での上面図である。
【図３】その角型ペットボトルを簡易タンクとして利用している状態を示す一部を断面にした側面図である。
【図４】本発明の他の実施例に係る角型ペットボトルを倒立した状態での上面図である。
【図５】従来の角型ペットボトルの倒立した状態での上面図である。
【図６】その角型ペットボトルを簡易タンクとして利用している状態を示す一部を断面にした側面図である。
【発明を実施するための形態】
【００１７】  図１は本発明の実施例に係る角型ペットボトルを横に倒した状態での側面図、図２はその角型ペットボトルを倒立した状態での上面図、図３はその角型ペットボトルを簡易タンクとして利用している状態を示す一部を断面にした側面図である。
【００１８】  これらの図に示されているように、角型のペットボトル１０は、周囲を取り囲むように設けられた断面形状がほぼ長方形の周壁部１１（周壁部１１ａ〜１１ｄ）と、その周壁部１１の下端部に設けられた底壁部１２（図３参照）と、その周壁部１１の上端部に設けられた上壁部１３と、上壁部１３の上部に設けられた取液筒部１４（図３参照）から一体に形成されている。
図１ならびに図２中の符号１５は、取液筒部１４に螺着されるキャップである。
【００１９】  従来の角型のペットボトル５０は図５に示すように、取液筒部５４が各周壁部５１ａ〜５１ｄの中間位置に設けられている。これに対して本実施例に係る角型のペットボトル１０は、図３に示されているように、取液筒部１４が台５９の上面と接触する水平状の下側の周壁部１１ａに近い位置に設けられている。
【００２０】  従って、取液筒部１４（キャップ１５）を間にして対向している左右側の周壁部１１ｂと周壁部１１ｄは、従来と同じで取液筒部１４（キャップ１５）からの間隔が等間隔である。
これに対して取液筒部１４が下側の周壁部１１ａに近い位置に設けられているから、周壁部１１ａと取液筒部５４の下端部１４ａとの間に形成される段差１６（図３参照）がごく僅かである。
取液筒部１４の位置が下方に移動した分だけ、上側の周壁部１１ｃと取液筒部１４（キャップ１５）の間隔は従来よりも長くなっている。
【００２１】  空になったペットボトル１０のキャップ１５を外して、ペットボトル１０内に水５６を入れて、図３に示すように取液筒部１４の口部に蛇口アダプター５７を差し込み、蛇口アダプター５７の回転式開閉弁５８が閉まっていることを確認する。
【００２２】  図３に示すように、ペットボトル１０を倒した状態で台５９などの上に載せ、蛇口アダプター５７の蛇口６０を台５９よりも手前側に出す。ペットボトル１０を倒して台５９上に載せることにより、下側の周壁部１１ａが台５９の上面と接触することになる。
【００２３】  水やり用のじょろの給水口（図示せず）を蛇口アダプター５７の蛇口６０の下に持って行き、蛇口アダプター５７の開閉弁５８を開くことにより、ペットボトル１０内に貯留している水５６を、蛇口アダプター５７を通してじょろに自動的に注ぐことができる。
【００２４】  じょろ内で水５６がほぼ満杯になると開閉弁５８を閉めてペットボトル１０からの給水を止め、じょろを鉢の所に持って行き水やりを行う。じょろへの給水を繰り返すと、ペットボトル１０内での水位が徐々に下がっていく。
【００２５】  ペットボトル１０からの取液を繰り返して、ペットボトル１０内の水位が取液筒部１４よりも下がると（図３参照）、じょろへの自動給水ができなくなる。しかし、図６に示す従来のペットボトル５０では、取液筒部５４から下側の周壁部５１ａまでの距離が長くて、段差６１が大きいため、自動給水ができなくなるタイミングが早く、図６に示すようにペットボトル５０内の水５６の残留量が多い。
【００２６】  これに対して本実施例に係るペットボトル１０は、下側の周壁部１１ａは取液筒部１４の下端部１４ａと近接しており、従って下側の周壁部１１ａと取液筒部５４の下端部１４ａとの間に形成される段差１６がごく僅かである。よって、ペットボトル１０内のほとんどの水５６は、ペットボトル１０を水平に置いた状態（横に倒した状態）で取り出すことができ、ペットボトル１０内の水５６の残留量はごく僅かである。
【００２７】  そのため、従来のようにペットボトル５０の底壁部５２を持ち上げて、ペットボトル５０を斜めにして、ペットボトル５０内に残っている水５６をじょろ内に注ぐ必要が殆ど無く、そのために給水作業が簡便になる。
【００２８】  本実施例の場合、周壁部１１ａの方を下にして台５９などの上に載せる必要が有り、反対に上側の周壁部１１ｃの方を下にして台５９などの上に載せると、本発明本来の作用効果が発揮できない。
そのため、周壁部１１ａの外表面に例えば『こちらの面を下にして水平に置いて下さい。』とか、周壁部１１ｃの外表面に例えば『こちらの面を上にして水平に置いて下さい。』などの注意書きを表示しておくとよい。
【００２９】  図４は、本発明の他の実施例に係る角型のペットボトルを倒立した状態での上面図である。
この実施例で図２に示す前記実施例と相違する点は、図２に示す前記実施例では取液筒部５４の位置を長辺の周壁部１１ａ側に近づけたが、この実施例では取液筒部５４の位置を短辺の周壁部１１ｂ（あるいは周壁部１１ｄ）側に近づけた点である。
角型のペットボトル１０を簡易タンクなどに使用する場合、ペットボトル１０の設置安定性を考慮すると、図２に示す実施例のように取液筒部５４を長辺の周壁部１１ａ側に近づけたが方が良い。
【００３０】  前記実施例では、断面形状が四角形の周壁部１１を有するペットボトル１０の場合について説明したが、本発明はこれに限定されるものではなく、例えば断面形状が略半円形状の周壁部を有するペットボトルにも適用可能である。
この場合は、略半円形状の周壁部のうち水平状の周壁部の部分に取液筒部を近接する必要がある。
【００３１】  前記実施例では、回転式の開閉弁５８を有する蛇口アダプター５７を使用したが、押すと開閉弁が開き、押圧を解除すると開閉弁が閉じるプッシュ式の開閉弁を有する蛇口アダプターを使用することも可能である。
【００３２】  前記実施例では、鉢植えの水やり用の小型簡易タンクとしてペットボトルを用いた例を説明したが、本発明はこれに限定されるものではなく、例えばペットなどへの給水用の簡易タンクとしてペットボトルを用いることも可能である。
【００３３】  前記実施例では、ペットボトル内に水を収納した例を説明したが、本発明はこれに限定されるものではなく、例えば洗剤液など水以外の液体を収納する液体収納容器として用いることも可能である。
【００３４】  前記実施例では、ペットボトルなどの合成樹脂製の液体収納容器について説明したが、本発明はこれに限定されるものではなく、例えば金属薄板など合成樹脂以外の材料で形成した液体収納容器にも適用可能である。
【符号の説明】
【００３５】１０：ペットボトル、
１１，１１ａ〜１１ｄ：周壁部、
１２：底壁部、
１３：上壁部、
１４：取液筒部、
１４ａ：取液筒部の下端部、
１５：キャップ、
１６：段差、
５６：水、
５７：蛇口アダプター、
５８：開閉弁、
５９：台、
６０：蛇口。
【図１】
2016210495.tif 000003
【図２】
2016210495.tif 000004
【図３】
2016210495.tif 000005
【図４】
2016210495.tif 000006
【図５】
2016210495.tif 000007
【図６】
2016210495.tif 000008